(57)【特許請求の範囲】
【請求項１】
洗浄水を噴出する吐水穴を有するノズル本体と、前記ノズル本体の吐水穴と重なり合う吐水穴を有すると共に、前記ノズル本体の少なくとも一部を覆う筒状のノズルカバーとを有する洗浄ノズルにおいて、前記ノズル本体と前記ノズルカバーとのズレを防止するズレ防止手段を有し、
前記ノズルカバーの吐水穴は、前記ノズル本体の吐水穴からの洗浄水の吐水方向と同軸であるが、前記洗浄水の吐水方向が、前記ノズルカバー表面と直角の方向に対して角度を持っており、
前記ノズルカバーの吐水穴の、前記吐水方向が、前記ノズルカバー表面に対して直角の方向に対して角度を持った側とは反対側のみをノズルカバー表面と直角にしたことを特徴とする人体局部洗浄装置。
【発明の詳細な説明】
【０００１】
【発明の属する技術分野】
洗浄水を噴出する吐水穴を有するノズル本体と、前記ノズル本体の吐水穴と重なり合う吐水穴を有すると共に、前記ノズル本体を覆うノズルカバーとを有する洗浄ノズルを備えた人体局部洗浄装置に関する。
【０００２】
【従来の技術】
人体局部洗浄装置の肛門部および女性局部を洗浄する局部洗浄用ノズルは、たとえば特公昭６１−１３０５６号公報に記載されているように、ケーシングの収納位置から洗浄位置まで往復動作するノズルロッドを備え、その先端に洗浄水を噴出させるためのノズルヘッドを設けたものが一般的な構造である。
【０００３】
このようなノズル装置では、洗浄のときにはノズルヘッド部分が人体の局部に接近して洗浄水を噴射する。このため、洗浄の際に汚水や汚物を浴びやすく、ノズルヘッド部分をクリーニングすることが先の公報においても提案されている。このクリーニングは、洗浄動作の前または後に、局部洗浄用の洗浄水を利用してノズルヘッド部分に垂れ流し、これによって汚れを流し落とすというものである。
【０００４】
上記クリーニング方法ではノズルヘッドの汚物は取り除くことができるが、ノズルの胴体部分についた汚物は取り除くことができない。そこで、実公平２−１３５８４号公報に記載されているようにノズル本体にノズル本体より取り外しが可能な筒状のノズルカバーを着脱自在にし、汚物が付着した場合など交換可能とした方法がある。
【０００５】
【発明が解決しようとする課題】
前記のようなノズル本体と着脱自在なノズルカバーから構成されている場合には、ノズル本体の吐水穴とノズルカバーの吐水穴とはいかなる場合にも重なっていなければならない。ノズルカバーが、ノズル本体に対して周方向へずれると洗浄水は全く出ないか臀部へ当たってしまう。軸方向へずれると全く出ないか便座と足の間から洗浄水が飛び出してトイレの床を濡らすおそれがある。使用時のみならずノズルカバーを取り外して清掃し取付ける際に所定の位置にうまく取付けないと以前と同じ洗浄感が得られない。また、使用を続けると、ノズルカバーとノズル本体の吐水穴がずれてしまうおそれがある。
【０００６】
また、ノズルの伸出に伴う軸方向の往復運動では最大伸出時にぶれが生じ狙いのポイントに洗浄水が当たらない。
【０００７】
また、ノズルカバーの吐水穴から汚水が浸入しノズル本体の吐水穴付近にたまる可能性や水が浸入してノズルカバー内先端部に滞留してしまい衛生上好ましくない状態になる問題があった。
【０００８】
本発明は上記の欠点を解消し、ノズル本体とノズルカバーが常に定められた位置関係に固定され、ノズルがぶれることなく軸方向に往復運動でき、またノズル本体の吐水穴付近に付着した汚物を洗い落とし、かつ浸入した水や前記洗浄水を外部へ排出する水抜き穴を設けノズルカバー内を清潔に保つことができることを特徴とする局部洗浄ノズルを提供する。
【０００９】
【課題を解決するための手段およびその作用・効果】
以上のような目的を達成するために、請求項１では、洗浄水を噴出する吐水穴を有するノズル本体と、前記ノズル本体の吐水穴と重なり合う吐水穴を有すると共に、前記ノズル本体の少なくとも一部を覆う筒状のノズルカバーとを有する洗浄ノズルにおいて、前記ノズル本体と前記ノズルカバーとのズレを防止するズレ防止手段を有し、前記ノズルカバーの吐水穴は、前記ノズル本体の吐水穴からの洗浄水の吐水方向と同軸であるが、前記洗浄水の吐水方向が、前記ノズルカバー表面と直角の方向に対して角度を持っており、前記ノズルカバーの吐水穴の、前記吐水方向が、前記ノズルカバー表面に対して直角の方向に対して角度を持った側とは反対側のみをノズルカバー表面と直角にした。
【００１９】
【発明の実施の形態】
以下に、本発明の実施の形態を以下に説明する。
【００２０】
本実施形態の局部洗浄ノズルは、おしり、ビデなどの洗浄水水路を有するノズル本体と、ノズル本体の外側を覆うノズルカバーから構成され、洗浄ノズル使用前後の自動洗浄機能にてノズルカバーの外表面露出部の汚れを細部に渡り残すこと無く除去することが可能な構造になっている。
【００２１】
本発明の実施の形態のノズル本体に形成された吐水穴とノズルカバーに形成された吐水穴は、吐水方向と同軸上にあり、ノズルカバーの吐水穴がノズル本体の吐水穴より若干大きいことが好ましい。小さいと吐水穴を防いでしまうし、大きすぎるとノズルカバーとノズル本体との間に段差ができて汚物が溜まるおそれがある。また、ノズルカバーの吐水穴は吐水方向と同軸方向にあるが吐水が角度を持つ場合、ノズルカバー長手方向に穴の後ろ側をノズルカバー表面と直角にすると金型構造上有利な形状となる。
【００２２】
本発明の実施の形態のノズルカバーとノズル本体との間に形成される嵌合部は相対する形状であれば、凹部であっても凸部でもあってもよい。嵌合部は長手方向に形成され、その長さ、位置については何ら制限されることがないが、好ましくは先端よりに設ける方がよい。根元に設けた場合先端のずれが考えられ、最先端では吐水穴の形状に制約を設けることになる。また、嵌合部の形状は、ノズルカバーの筒形をくずさない程度であれば、円形、角形、三角形などこれらに限定されるものではない。
【００２３】
ノズルカバー内側に設けられたテーパーの大きさは何ら制限されるものではないが、０．２°〜２°が好ましい。テーパーが小さいと嵌合が甘くなり回転するおそれがある。テーパーが大きいとこの場合は肉厚が大きくなりヒケ等が発生するため外観品質へ影響を及ぼす。
【００２４】
ノズルカバーとノズル本体を係合し、周方向および軸方向の位置を固定する係合方式としては、スナップフィット、ねじ止め、カプラー方式など如何なる手法をとることができる。また、係合の場所は周方向のどの場所でもよく、固定箇所は１ヵ所でもよいし、数ヵ所でもよい。１ヵ所でも固定されていれば、周方向および軸方向へのずれを抑えることができる。
【００２５】
ノズル本体とノズルカバー係合部の周方向の回転防止の直線部は、１ヵ所でもよいし数ヵ所設けてもよいが、２〜６ヵ所が好ましい。１ヵ所だと周方向へずれるおそれがあり、６ヵ所を越えると円に近くなり回転しやすくなる。
【００２６】
また、ノズルカバー裏側にノズル摺動時のぶれをなくすよう、駆動ガイドを設ける事ができる。駆動ガイドの形状としては長手方向に連続的に設けられていれば、凹部、凸部などこれらに制限されるものではない。駆動ガイドを設ける場所としては、ノズルカバーの側面や裏面など何ら限定されるものではないが、外観上裏面が好ましい。
【００２７】
ノズルカバー内へ浸入した水を外部へ排出する水抜き穴は、ノズルカバー先端の裏側に設けることが好ましい。水抜き穴の位置が横だと水が完全に抜けないし、上部に設けても同様に抜けない。
【００２８】
ノズル本体の吐水穴とノズルカバーの吐水穴との間に設けられたクリアランスは、水が流れれば何ら制限されることはないが０．２ｍｍ〜１．０ｍｍが好ましい。０．２ｍｍより小さいと水が流れずノズル本体ヘッド部の洗浄ができないし、１．０ｍｍより大きいと吐水特性が乱れるおそれがある。
【００２９】
また、ノズルカバー先端には、面取りを設けることができる。こうすることにより、洗浄ノズル使用前後の自動洗浄機能によるノズル先端の洗浄で、その洗浄水が面取りからノズルカバー先端部へ流れるため、汚物がノズルカバー先端部に付着しても洗い落とすことができる。
【００３０】
本発明の実施例を以下に説明する。
【００３１】
図１は、本発明の局部洗浄ノズルを内蔵した人体局部洗浄装置を設備した便器装置を示す斜視図である。図１において、便器本体１の上面に衛生洗浄装置のケーシング２が固定され、このケーシング２には便座３及び便蓋４をそれぞれ開閉自在に取り付けている。ケーシング２の内部には局部洗浄のための局部洗浄ノズル装置５と洗浄水の供給配管系及び洗浄後の乾燥のための温風乾燥装置等が収納され、各機能部はケーシング２に一体に備えた操作盤６やリモコン操作盤２４によって行われる。
【００３２】
図２は、本発明の局部洗浄ノズルをケーシング内に配置した場合の側面断面図を示す。図２において、局部洗浄ノズル装置５は、ケーシング２内に固定されるフレーム７と、その上面を摺動面として往復動作する局部洗浄ノズル８を備え、この局部洗浄ノズル８は洗浄水水路部を有するノズル本体９とノズルカバー１０と洗浄水を噴出する洗浄水吐水路１１とを設けたものである。ここで、洗浄水吐水路１１は、ノズル本体９の吐水穴２５とノズルカバーの吐水穴２６が重なり合って形成されている。そして、局部洗浄ノズル８の基端側には、洗浄水をノズル本体に供給するための供給口１２を設けている。局部洗浄ノズル８は、ケーシング２に配置したモータ１３の出力軸に連接されている。
【００３３】
局部洗浄ノズル８がその収納位置にあるとき、洗浄水吐水路１１を覆うクリーニングキャップ１４をフレーム７の先端に設ける。このクリーニングキャップ１４は、洗浄水吐水路１１の少なくとも上方及び側方を覆う断面形状を持ち、洗浄水吐水路１１から洗浄水を放出させたときにクリーニングキャップ１４の内周壁に当たって跳ね返った分でノズルカバー１０先端をクリーニング可能とする。また、フレーム７には、局部洗浄ノズルの摺動をガイドする凸部（図示なし）が設けられている。
【００３４】
図３は、本発明の局部洗浄ノズルの１実施例を示す構成断面図である。図３において、局部洗浄ノズル８は、洗浄水水路を有する単一若しくは複数の部品から成るノズル本体９と、その外側を覆うノズルカバー１０から構成され、ノズル本体９の吐水穴２５とノズルカバーの吐水穴２６は重なり合って洗浄水吐水路１１を形成している。
ノズル本体９とノズルカバー１０はノズル本体９に設けられた嵌合リブ１５とノズルカバー１０に設けられた嵌合溝１６によってノズル先端側で嵌合され周方向の位置ずれを防止している。また、ノズルカバー１０の内部は長手方向全長にわたって０．２°のテーパーを有しており、上記嵌合部においては、先端にいくほど深く嵌合する構造となっている。
【００３５】
また、ノズル本体９とノズルカバー１０とは後端でスナップフィットにより係合部１７を形成し、これにより周方向および軸方向の位置ずれを防止している。
さらに、ノズルカバーとノズル本体とはその係合部に２ヵ所の直線部１８を設けており、後端においても周方向のずれを防止できるようにした。
【００３６】
ノズル先端にはノズルカバー１０内に侵入した水を排出するため、ノズルカバー１０裏面に水抜き穴１９を設けている。
ノズル裏面にはノズル摺動時のぶれをなくすため、長手方向にフレーム７に設けられた摺動をガイドする凸部（図示なし）が支持する駆動ガイド２０を設けている。
また、洗浄ノズル使用前後の自動洗浄機能によってクリーニングキャップ１４からの跳ね返りの洗浄水でノズル先端平面部が洗浄できるよう、ノズルカバー先端上部に面取り２１を施している。
【００３７】
図４は、本発明のノズルカバーの１実施例を示す断面図である。図４において、ノズルカバー１０は、洗浄水を吐水するノズルカバーの吐水穴２６、ノズル本体９に設けられた嵌合リブ１５に嵌合される嵌合溝１６、ノズル本体９との係合部１７、係合部において回転を防止するための直線部１８、ノズルカバー１０内に進入した水を排出する水抜き穴１９、洗浄ノズル使用前後の自動洗浄機能による洗浄水を先端平面部へ導くための面取り２１およびノズル摺動時のぶれをなくす駆動ガイド２０から成っている。
【００３８】
図５は、本発明のノズルカバーのノズル本体との嵌合部を示す断面図である（図４のＥ―Ｅ視）。図５において、ノズル本体９に設けられた嵌合リブ１５に嵌合される嵌合溝１６が上下に設けられている。これにより、ノズルカバー１０の周方向のずれを防止することができる。なお、本実施例では嵌合リブ１５をノズル本体に設けられた凸部とし、嵌合溝１６をノズルカバーに設けられた凹部としているが、逆にノズル本体に凹部を設け、ノズルカバーに凸部を設け嵌合させても良い。また、下部には、駆動ガイド２０を設けた。これにより、ノズルの摺動時のぶれをなくすことができる。
【００３９】
図６は、本発明のノズルカバーのノズル本体との係合部を示す断面図である（図３のＦ―Ｆ視）。図６において、ノズル本体９とノズルカバー１０との係合はノズル本体９に設けられた突起がノズルカバー１０に設けられた穴２２へスナップフィット式に行われる。これにより、軸方向のずれを防止することができる。また、ノズル本体９との係合部に２箇所の直線部１８を設けた。これにより、係合部においても周方向のずれを防止することができる。
【００４０】
図７は、本発明のノズルカバーの裏面図を示す。図７において、ノズルカバー裏側には、ノズルカバー内に浸入した水を排出する水抜き穴１９、ノズル本体の突起と係合する穴２２、ノズル摺動時のぶれを防止する駆動ガイド２０を設けている。
【００４１】
図８は、本発明のノズルカバーとノズル本体が組付けられた状態の吐水部構成断面図を示す。図８において、ノズル本体９とノズルカバー１０はそれぞれ、おしり、やわらか、ビデ用の洗浄水吐水穴を有し、それらが同軸上に重ね合わされている。また、ノズル本体９とノズルカバー１０との間には若干のクリアランス２３をもっている。
上記構成においてノズル本体９から吐水された洗浄水は、ノズルカバー１０に遮られることなく吐水される。また、ノズルカバー１０の吐水穴穴径がノズル本体９の吐水穴穴径とほとんど変わらないことから、ノズルカバー１０内への汚水汚物の浸入が少ない。たとえ、浸入したとしても、洗浄ノズル使用前後の自動洗浄機能において、ノズル本体９とノズルカバー１０の吐水穴間にクリアランス２３があるため、そこを流れて、ノズルカバー１０先端下部に設けられた水抜き穴１９から抜け出てしまう構造となっている。
【００４２】
本実施形態は、以上の構成、作用からなり、次の効果が得られる。すなわち、局部洗浄用ノズルのノズルカバーとノズル本体とが所定の位置に固定することができ、使用時もずれがなく快適に使用できる。また、ノズルカバーが汚れた際も取替が可能で、取付ける時も問題なく所定の位置にとりつけることができる。
また、ノズルが、ぶれることなく軸方向に往復運動でき、さらにノズル本体の吐水穴付近に付着した汚物を洗い落とし、かつ浸入した水や前記洗浄水を外部へ排出する水抜き穴を設けノズルカバー内を清潔に保つことができるを特徴とする局部洗浄ノズルを提供する。
【図面の簡単な説明】
【図１】  本発明の局部洗浄ノズル装置を内臓した人体局部洗浄装置を設備した便器装置の斜視図を示す。
【図２】  本発明の局部洗浄ノズル装置をケーシング内に配置した場合の側面断面図を示す。
【図３】  本発明の局部洗浄ノズルの１実施例の構成断面図を示す。
【図４】  本発明のノズルカバーの１実施例の断面図を示す。
【図５】  本発明のノズルカバーのノズル本体との嵌合部の断面図を示す（図４のＥ―Ｅ断面）
【図６】  本発明のノズルカバーのノズル本体との係合部の断面図を示す（図３のＦ―Ｆ断面）
【図７】  本発明のノズルカバーの裏面図を示す。
【図８】  本発明のノズルカバーとノズル本体が組付けられた状態の吐水部構成断面図を示す。
【図９】  （ａ）本発明のノズルカバーとノズル本体が組付けられた状態の吐水部構成断面図を示す。
（ｂ）本発明のノズルカバーとノズル本体が組付けられた状態の基端部構成断面図を示す。
（ｃ）吐水部のＢ―Ｂ断面図を示す。
（ｄ）吐水部のＣ―Ｃ断面図を示す。
（ｅ）基端部のＡ―Ａ断面図を示す。
【図１０】  （ａ）本発明の局部洗浄ノズルの１実施例の構成断面図を示す。
（ｂ）Ｄ矢視図を示す。
【符号の説明】
１便器    ２ケーシング    ３便座    ４便蓋
５局部洗浄ノズル装置    ６操作盤    ７フレーム    ８局部洗浄ノズル    ９ノズル本体
１０ノズルカバー    １１洗浄水吐水穴    １２供給口    １３モータ
１４クリーニングキャップ    １５嵌合リブ    １６嵌合溝    １７係合部
１８直線部
１９水抜き穴    ２０駆動ガイド    ２１面取り    ２２穴    ２３クリアランス
２４リモコン    ２５ノズル本体の吐水穴    ２６ノズルカバーの吐水穴
【図１】
0004706946.tif 000002
【図２】
0004706946.tif 000003
【図３】
0004706946.tif 000004
【図４】
0004706946.tif 000005
【図５】
0004706946.tif 000006
【図６】
0004706946.tif 000007
【図７】
0004706946.tif 000008
【図８】
0004706946.tif 000009
【図９】
0004706946.tif 000010
【図１０】
0004706946.tif 000011